(57)【特許請求の範囲】
【請求項１】
周壁６上端より頂壁７を延設した蓋本体２と、蓋本体２内上端周縁部に上端周縁部を凹凸係合手段を介して嵌着するとともに、蓋本体周壁６と間隔をあけて垂設してなる収納皿３とを備え、収納皿３には装着した容器体内雰囲気を良好に維持するための薬剤を収納するとともに、薬剤を活用するための通気孔Ａを設けてなる容器の蓋であって、収納皿３に蓋本体２から取り外す際の摘みＢを設けてなり、上記凹凸係合手段が、収納皿３上端外周面に突設した上面が傾斜面をなし且つ周方向複数の切溝13を備えた係合突条14を、蓋本体周壁６内周上部に突設した係止突条８に乗越え係合させた凹凸係合手段であり、上記通気孔Ａが収納皿底壁10に設けた窓孔16であり、上記摘みＢが、窓孔16中央部に掛け渡して底壁10に一体に連結した帯状部17であることを特徴とする容器の蓋。
【請求項２】
周壁６上端より頂壁７を延設した蓋本体２と、蓋本体２内上端周縁部に上端周縁部を凹凸係合手段を介して嵌着するとともに、蓋本体周壁６と間隔をあけて垂設してなる収納皿３とを備え、収納皿３には装着した容器体内雰囲気を良好に維持するための薬剤を収納するとともに、薬剤を活用するための通気孔Ａを設けてなる容器の蓋であって、収納皿３に蓋本体２から取り外す際の摘みＢを設けてなり、上記凹凸係合手段が、収納皿３上端外周面に突設した上面が傾斜面をなし且つ周方向複数の切溝13を備えた係合突条14を、蓋本体周壁６内周上部に突設した係止突条８に乗越え係合させた凹凸係合手段であり、上記摘みＢが、収納皿底壁10に分離線19を介して画成するとともに、周囲の複数箇所を破断可能な連結片20により連結し、且つ、少なくとも一箇所の折曲連結部位21を介して下方への折り曲げが可能に設けた平板状の摘みＢであり、分離線19を通気孔Ａと兼用してなることを特徴とする容器の蓋。
【請求項３】
上記分離線19に連続する外面にテーパ部26を設けてなる請求項２記載の容器の蓋。
【請求項４】
上記収納皿３が、水平状態での載置を可能ならしめる脚部30を垂設してなる請求項１又は請求項２のいずれかに記載の容器の蓋。
【請求項５】
上記脚部30が、環状に配置された複数の脚31により構成されるとともに、各脚31の少なくとも一つが摘みＢを兼ねる請求項４記載の容器の蓋。
【請求項６】
周壁６上端より頂壁７を延設した蓋本体２と、蓋本体２内上端周縁部に上端周縁部を凹凸係合手段を介して嵌着するとともに、蓋本体周壁６と間隔をあけて垂設してなる収納皿３とを備え、収納皿３には装着した容器体内雰囲気を良好に維持するための薬剤を収納するとともに、薬剤を活用するための通気孔Ａを設けてなる容器の蓋であって、上記凹凸係合手段が、収納皿３上端外周面に突設した上面が傾斜面をなし且つ周方向複数の切溝13を備えた係合突条14を、蓋本体周壁６内周上部に突設した係止突条８に乗越え係合させた凹凸係合手段であり、収納皿底壁10に分離線19を介して画成するとともに、周囲の複数箇所を破断可能な連結片20により連結した薬剤取外用の切取部Ｃを設け、分離線19を通気孔Ａと兼用したことを特徴とする容器の蓋。
【請求項７】
上記収納皿３が、水平状態での載置を可能ならしめる脚部30を垂設してなる請求項６記載の容器の蓋。
【発明の詳細な説明】
【０００１】
【発明の属する技術分野】
本発明は容器の蓋に関し、詳しくは、乾燥剤等の装着する容器体内雰囲気を良好に維持させるための薬剤を収納し、廃棄時に容易に分別処理できる容器の蓋に関する。
【０００２】
【従来の技術】
従来、容器の蓋として、伏皿状の蓋本体内に収納皿を蓋本体周壁の嵌合が可能な状態で嵌着固定し、収納皿内に乾燥剤などを収納したものが知られている。これらは乾燥剤により収納皿底壁に設けた通気孔を介して容器体内の雰囲気を湿気の少ないものとすることができ、常時容器体内の雰囲気を良好に維持することができる様に構成したものである。
【０００３】
【発明が解決しようとする課題】
従来のこの種の容器の蓋は装着した容器体内の収納物を使い切った際には容器体ごとそのまま廃棄するのが一般的であり分別処理を行うことなどに考慮が払われていない。その結果、収納皿が使用中に蓋本体から外れない様に強固に嵌合固定するのが一般的であり、取り外すのが困難であり、無理に取り外そうとすれば、時間が掛かったり、道具を必要とするなど容易に行えないのが実態である。
【０００４】
本発明は上記した点に鑑みなされたもので、使用後蓋本体から薬剤を簡単に取り外すことができ、両者の分別処理を容易に行える容器の蓋を提案するものである。また、収納皿が蓋本体と分別処理の必要がある材質で形成されている場合でも、薬剤とともに容易に蓋本体から取り外すことができ、同様に容易に分別処理を行える容器の蓋を提案するものである。更に、ベルトコンベア等を使用したライン上を搬送した収納皿内へ薬剤の充填や蓋本体の嵌着を行う際に収納皿が水平状態を維持できて確実に充填や嵌着を行える容器の蓋を提案するものである。
【０００５】
【課題を解決するための手段】
第１の手段として、以下の通り構成した。即ち、周壁６上端より頂壁７を延設した蓋本体２と、蓋本体２内上端周縁部に上端周縁部を凹凸係合手段を介して嵌着するとともに、蓋本体周壁６と間隔をあけて垂設してなる収納皿３とを備え、収納皿３には装着した容器体内雰囲気を良好に維持するための薬剤を収納するとともに、薬剤を活用するための通気孔Ａを設けてなる容器の蓋であって、収納皿３に蓋本体２から取り外す際の摘みＢを設けてなり、上記凹凸係合手段が、収納皿３上端外周面に突設した上面が傾斜面をなし且つ周方向複数の切溝13を備えた係合突条14を、蓋本体周壁６内周上部に突設した係止突条８に乗越え係合させた凹凸係合手段であり、上記通気孔Ａが収納皿底壁10に設けた窓孔16であり、上記摘みＢが、窓孔16中央部に掛け渡して底壁10に一体に連結した帯状部17であることを特徴とする容器の蓋。
【０００６】
第２の手段として、以下の通り構成した。即ち、前記第１の手段に於いて、周壁６上端より頂壁７を延設した蓋本体２と、蓋本体２内上端周縁部に上端周縁部を凹凸係合手段を介して嵌着するとともに、蓋本体周壁６と間隔をあけて垂設してなる収納皿３とを備え、収納皿３には装着した容器体内雰囲気を良好に維持するための薬剤を収納するとともに、薬剤を活用するための通気孔Ａを設けてなる容器の蓋であって、収納皿３に蓋本体２から取り外す際の摘みＢを設けてなり、上記凹凸係合手段が、収納皿３上端外周面に突設した上面が傾斜面をなし且つ周方向複数の切溝13を備えた係合突条14を、蓋本体周壁６内周上部に突設した係止突条８に乗越え係合させた凹凸係合手段であり、上記摘みＢが、収納皿底壁10に分離線19を介して画成するとともに、周囲の複数箇所を破断可能な連結片20により連結し、且つ、少なくとも一箇所の折曲連結部位21を介して下方への折り曲げが可能に設けた平板状の摘みＢであり、分離線19を通気孔Ａと兼用してなることを特徴とする容器の蓋。
【０００７】
第３の手段として、以下の通り構成した。即ち、前記第２の手段に於いて、上記分離線19に連続する外面にテーパ部26を設けてなる。
【０００８】
第４の手段として、以下の通り構成した。即ち、前記第１の手段又は第２の手段のいずれかの手段に於いて、上記収納皿３が、水平状態での載置を可能ならしめる脚部30を垂設してなる。
【０００９】
第５の手段として、以下の通り構成した。即ち、前記第４の手段に於いて、上記脚部30が、環状に配置された複数の脚31により構成されるとともに、各脚31の少なくとも一つが摘みＢを兼ねる。
【００１０】
第６の手段として、以下の通り構成した。即ち、周壁６上端より頂壁７を延設した蓋本体２と、蓋本体２内上端周縁部に上端周縁部を凹凸係合手段を介して嵌着するとともに、蓋本体周壁６と間隔をあけて垂設してなる収納皿３とを備え、収納皿３には装着した容器体内雰囲気を良好に維持するための薬剤を収納するとともに、薬剤を活用するための通気孔Ａを設けてなる容器の蓋であって、上記凹凸係合手段が、収納皿３上端外周面に突設した上面が傾斜面をなし且つ周方向複数の切溝13を備えた係合突条14を、蓋本体周壁６内周上部に突設した係止突条８に乗越え係合させた凹凸係合手段であり、収納皿底壁10に分離線19を介して画成するとともに、周囲の複数箇所を破断可能な連結片20により連結した薬剤取外用の切取部Ｃを設け、分離線19を通気孔Ａと兼用したことを特徴とする容器の蓋。
【００１１】
第７の手段として、以下の通り構成した。即ち、前記第６の手段に於いて、上記収納皿３が、水平状態での載置を可能ならしめる脚部30を垂設してなる。
【００１４】
【発明の実施の形態】
以下、本発明の実施の形態を図面を参照して説明する。
【００１５】
図１乃至図４は本発明の一実施形態を示し、容器の蓋１は、蓋本体２と、収納皿３とを備えている。
【００１６】
蓋本体２は合成樹脂等により形成され、容器体４の口頸部５外周に周壁６を嵌合させて装着するもので、周壁６上端縁より頂壁７を延設した下端開口の筒状をなしている。本実施形態では、蓋本体２の周壁６内周上部には収納皿３を係止するための係止突条８を周設し、また、その下方には螺条９を周設して容器体口頸部５外周に螺着可能に構成している。
【００１７】
収納皿３も同様に合成樹脂等により形成され、蓋本体内上端周縁部に上端周縁部を凹凸係合手段ａを介して嵌着するとともに、蓋本体周壁６の嵌合が行える如く蓋本体周壁６と所定間隔をあけて垂設している。収納皿３の具体的形状は種々選択できるが、要は蓋本体に装着した際に内部に後述する薬剤の収納スペースを有する皿状形態であれば良い。
【００１８】
図示例では、底壁10周縁部より周壁11を立設するとともに、周壁11上端縁より外方へフランジ12を延設し、該フランジ12外周縁を蓋本体周壁内周上部に嵌合させている。更に詳細すれば、フランジ12外面より周方向に間隔をあけて複数の切溝13を穿設し且つ上面が傾斜面をなす係合突条14を突設し、該突条を上記係止突条８上面に乗越え係合させている。凹凸係合手段としては、この様な突条相互の乗越え係合の他、突条と凹条との係合等種々の形態を採用できる。
【００１９】
また、収納皿には装着した容器体内雰囲気を良好に維持するための薬剤15を収納するとともに、該薬剤を活用するための通気孔Ａを設けている。薬剤15の具体例としては乾燥剤，吸湿剤，防腐剤等の単独あるいは複合したものが挙げられ、また、通気孔Ａは蓋本体２を容器体等に装着した際に収納皿３内部と容器体等の内部とを連通すれば収納皿３のどの位置に設けても良く。その開口面積や形も収納薬剤の量、種類等により適宜選択すれば良い。本実施形態では、底壁10中央部に円形の窓孔16を穿設し、該窓孔を通気孔Ａとして構成している。
【００２０】
本発明は上記した容器の蓋に於いて、収納皿３を蓋本体から取り外す際の摘みを設けている。図１の実施形態では、上記した如き円形の通気孔Ａの中央部に掛け渡して底壁10外面に一体に連結した帯状部17を設け、該帯状部17を摘みＢとして構成している。この摘みＢは種々の形態を採用することができ、本実施形態のものの他に、単なる収納皿外面に突出させた突起形態のものであっても、或いは底壁10に画成した平板状のものであっても良い。
【００２１】
上記の如く構成した容器の蓋１は、通常の使用時には蓋本体２の周壁６を容器体４の口頸部５外周に螺着させ或いは螺脱させて着脱して使用し、例えば、収納物を使い切った際には、容器体４から外した蓋本体２を持ち、摘みＢを掴んで収納皿３を引き出せば容易に蓋本体２から外れ、その結果、薬剤15及び収納皿３を蓋本体２と別々に廃棄することが出来る。
【００２２】
図５は他の実施形態を示すもので、収納皿３下面に摘みＢとしての突起18を突設した例を示す。本形態では、通気孔Ａを底壁10及び周壁11に設けている。その他の構成は図１の実施形態と同じであるため同符号を付して説明を省く。
【００２３】
以下に説明する実施形態は図１の実施形態に於いて、基本的に通気孔Ａと、摘みＢの構成を変えたものであるため、以下収納皿３の図面のみを用いて説明するが、蓋本体に同様方法にて装着使用するは図１と同様である。
【００２４】
図６乃至図８は更に他の実施形態を示すもので、収納皿底壁10に分離線19を介して画成されるとともに、周囲の複数箇所を破断可能な連結片20により連結し、少なくとも一箇所の折曲連結部位21を介して下方への折り曲げが可能な平板状の摘みＢを設け、また、分離線19を通気孔Ａと兼用した例である。
【００２５】
図示例では、底壁10の縁部を折曲連結部位21としての薄肉ヒンジ22に形成し、該ヒンジ両側から底壁10を横断しヒンジ対向位置に延び、対向位置に於いて両端を底壁縁部に沿って連結した分離線19を設け、底壁10を横断する帯状の摘みＢを画成している。また、摘みＢの周囲を周方向間隔をあけて複数の破断可能な連結片20によりその周縁部の底壁10と一体に連結している。各連結片20は摘みＢの長手方向に沿った両側に於いて互い違いに位置させており、各連結片20を破断する際に一箇所づつの破断を行えてより破断が行い易い様に構成している。
【００２６】
更に、摘みＢの薄肉ヒンジ22と対向する端部に於ける周壁６には、摘みＢ端部を掴み易くするために切欠部23を分離線19と一体に延設している。尚、この分離線19は上記した如く通気孔Ａとしても使用する。この場合には、廃棄の際に摘みＢ端部を掴んで引き出せば各連結片20が破断して帯状の摘みＢが突出し、これを引くことにより簡単に蓋本体２から収納皿３を取り外すことができ、ひいては薬剤15を取り外すことができる。
【００２７】
図９乃至図11は他の実施形態を示すもので、本形態も通気孔Ａを兼ねる分離線19を介して画成した平板状の摘みＢを設けたもので、収納皿底壁10中央部に、一部を折曲連結部位21としての薄肉ヒンジ22に構成した円形の摘みＢを設けた例を示す。また、摘みＢの周縁部は同様に間隔をあけて破断可能な複数の連結片20で連結している。更に、摘みＢの中央下面には円形凹部24を凹設し、上面にはドーナツ板状の凹部25を凹設している。この場合には、使用後摘みＢ部分を押し上げて各連結片20を破断した後引出し、引き出された摘みＢを引っ張ることにより同様に外すことができる。
【００２８】
図12乃至図14は更に他の実施形態を示すもので、本形態も通気孔Ａを兼ねる分離線19を介して画成した平板状の摘みＢを設けた例で、同様に収納皿底壁10に、一部を折曲連結部位21としての薄肉ヒンジ22に構成した円形の摘みＢを設け、分離線19に連続する底面にテーパ部26を設けている。テーパ部26の存在でここから容易に摘みＢの端部を掴むことができる如く構成している。
【００２９】
図15及び図16は更に他の実施形態を示すもので、本形態も通気孔Ａを兼ねる分離線19を介して画成した平板状の摘みＢを設けた例で、収納皿底壁10略全面を平板状の摘みＢに形成した例である。この場合には、折曲連結部材21としての薄肉ヒンジ22の対向位置下面より突片27を突設し、この突片27を掴んで各連結片20を破断する如く構成している。また、この場合には、摘みＢを引出した後の開口部の面積が薬剤15を取り出すのに充分な大きさなので、蓋本体２と収納皿３とを分離する必要がない場合には薬剤15のみを取り外すことができる。
【００３０】
図17及び図18は他の実施形態を示すもので、本形態の場合は上記摘みＢを有する構成に代えて、収納皿底壁10に分離線19を介して画成されるとともに、複数箇所を連結片20により連結した薬剤取り外し用の切取部Ｃを設けており、この切取部Ｃを切断除去することにより薬剤15を分離することができる如く構成している。切取部Ｃの切り取りの際には、例えば切取部Ｃの下面縁部に突片27を突設し、この突片27を掴んで各連結片20を破断する如く構成している。また、図示しないが、この突片27に変えて切取部Ｃの縁部に指挿入用の切欠を設けることも可能である。この場合も蓋本体２と収納皿３とを分離する必要がない場合に都合良く利用できるものである。
【００３１】
また、図19乃至図24に示す実施形態は収納皿３に脚部30を垂設している。脚部30は、底壁10下面から摘みＢや突片27などの突出部分がある場合でも、水平状態での載置を可能ならしめるもので、例えば収納皿３内部への薬剤15の充填や蓋本体２の嵌着の際にベルトコンベア等を使用したライン上を安定した状態で充填や嵌着を行いながら搬送できる如く構成したものである。尚、ここで言う水平状態は厳密な水平状態のみを意味するものではない。
【００３２】
脚部30は上記した要件を満たせば種々の形態を採用でき、例えば、筒状の脚部や、複数の脚より構成されたもので、収納皿の下面より摘みＢや突片27などの突出部分がある場合にそれらの突出幅と同じかより大きい突出幅で形成したものが採用される。脚部が複数の脚で構成される場合には、例えば各脚を底面に環状に配置突設したり、放射状に配置突設しても良く，その配置は収納皿の水平状態を維持できれば種々選択できる。
【００３３】
図19乃至図21に示す実施形態は摘みＢを有する収納皿３に筒状の脚部30を設けた例であり、図19に示す実施形態は図４に示す収納皿３の底壁10周縁部より筒状の脚部30を垂設したものであり、図20に示す実施形態は、図５に示す収納皿３の周壁11外周下端部より筒状の脚部30を垂設したものであり。更に、図21に示す実施形態は、図16に示す収納皿の底壁10周縁部より筒状の脚部30を垂設したものである。尚、この場合突片27を分離可能に脚部30の一部に形成しても良い。
【００３４】
図22及び図23に示す実施形態は、摘みＢを有する収納皿３であって、環状に配置された複数の脚31により構成されるとともに、各脚31の少なくとも一つが摘みＢを兼ねる脚部30を設けた例であり、底壁10下面周縁部より円弧板状の脚31を等間隔に円状に配置突設している。
【００３５】
図24に示す実施形態は、摘みＢの代わりに切取部Ｃを設けた収納皿３に脚部30を設けた例であり、図18に示す収納皿３の底壁10周縁部より筒状の脚部30を垂設したものである。この場合に脚部30は分離線19外方の下面より垂設しているが、切取部Ｃ下面に脚部30を垂設することも可能である。
【００３６】
【発明の効果】
以上説明した如く第１の手段の容器の蓋は、既述構成としたことにより、使用後蓋本体から薬剤を簡単に取り外すことができ、両者の分別処理を容易に行えるものである。また、収納皿が蓋本体と分別処理の必要がある材質で形成されている場合でも、薬剤とともに容易に蓋本体から取り外すことができ、同様に容易に分別処理を行えるものである。
【００３７】
また、収納皿３上端外周面に突設した上面が傾斜面をなし且つ周方向複数の切溝13を備えた係合突条14を、蓋本体周壁６内周上部に突設した係止突条８に乗越え係合させた凹凸係合手段を備えているので、傾斜面の存在で収納皿の装着が行い易く、また、切溝13の存在で比較的容易に取り外すことがてきる利点を兼ね備えている。
【００３８】
また、収納皿底壁10に設けた窓孔16を通気孔Ａとし、窓孔16中央部に掛け渡して底壁10に一体に連結した帯状部17を摘みＢとしたので、特別に摘みＢが突出して邪魔にならずしかも収納皿の取り外し時に力を入れ易いという利点を兼ね備える。
【００３９】
また、第２の手段の容器の蓋は、収納皿底壁10に分離線19を介して画成するとともに、周囲の複数箇所を破断可能な連結片20により連結し、且つ、少なくとも一箇所の折曲連結部位21を介して下方への折り曲げが可能に設けた平板状の摘みＢを設け、分離線19を通気孔Ａと兼用したので、同様に摘みが邪魔にならず、しかも摘みの大きさを充分取れるため、取り外しも容易であり、その大きさによっては薬剤のみを取り外すことができ、蓋本体と収納皿の分別処理が必要の無い場合により好適である。
【００４０】
また、第３の手段の容器の蓋は、分離線19に連続する外面にテーパ部26を設けたので、各連結片の切断のために摘み端部を掴み易く、容易に破断できる利点を兼ね備える。
【００４１】
また、第４の手段の容器の蓋は、水平状態での載置を可能ならしめる脚部30を垂設した収納皿３を備えているので、収納皿底壁10下方へ摘みＢや突片27等の突出部分があっても、収納皿３内部への薬剤15の充填や蓋本体２の嵌着の際にベルトコンベア等を使用したライン上を安定した状態で充填や嵌着を行いながら搬送できるものである。
【００４２】
また、第５の手段の容器の蓋は、第４の手段に於いて、環状に配置された複数の脚31により構成されるとともに、各脚31の少なくとも一つが摘みＢを兼ねる脚部30を設けたので、複数位置に於ける摘みＢを引っ張って収納皿３を取り外すことができるため、取り外しがより容易に行える利点を兼ね備える。
【００４３】
また、第６の手段の容器の蓋は、収納皿底壁10に分離線19を介して画成するとともに、周囲の複数箇所を破断可能な連結片20により連結した薬剤取外用の切取部Ｃを設け、分離線19を通気孔Ａと兼用したので、切取部の大きさを考慮しておけば薬剤のみを取り外すことができ、蓋本体と収納皿の分別処理が必要の無い場合に好適であり、また、切取部を切り取った後指を入れて収納皿を取り外すこともできる。
【００４４】
また、第７の手段の容器の蓋は、請求項８発明に於いて、水平状態での載置を可能ならしめる脚部30を垂設した収納皿３を設けたので、収納皿底壁10下方へ突片27等の突出部分があっても、収納皿３内部への薬剤15の充填や蓋本体２の嵌着の際にベルトコンベア等を使用したライン上を安定した状態で充填や嵌着を行いながら搬送できるものである。
【図面の簡単な説明】
【図１】本発明の一実施形態を示す半断面図である。
【図２】同実施形態の収納皿の半断面図である。
【図３】同実施形態の収納皿の平面図である。
【図４】同実施形態の収納皿の半断面図である。
【図５】本発明の他の実施形態を示す半断面図である。
【図６】本発明の更に他の実施形態に於ける収納皿の縦断面図である。
【図７】同実施形態の収納皿の平面図である。
【図８】同実施形態の収納皿の半断面図である。
【図９】本発明の更に他の実施形態に於ける収納皿の半断面図である。
【図１０】同実施形態の収納皿の平面図である。
【図１１】同実施形態の収納皿の半断面図である。
【図１２】本発明の更に他の実施形態に於ける収納皿の縦断面図である。
【図１３】同実施形態の収納皿の底面図である。
【図１４】同実施形態の収納皿の側面図である。
【図１５】本発明の更に他の実施形態に於ける収納皿の平面図である。
【図１６】同実施形態の収納皿の半断面図である。
【図１７】本発明の更に他の実施形態に於ける収納皿の平面図である。
【図１８】同実施形態の収納皿の半断面図である。
【図１９】本発明の更に他の実施形態に於ける収納皿の半断面図である。
【図２０】本発明の更に他の実施形態に於ける収納皿の半断面図である。
【図２１】本発明の更に他の実施形態に於ける収納皿の半断面図である。
【図２２】本発明の更に他の実施形態に於ける収納皿の半断面図である。
【図２３】同実施形態の収納皿の底面図である。
【図２４】本発明の更に他の実施形態に於ける収納皿の半断面図である。
【符号の説明】
２…蓋本体，３…収納皿，６…周壁，７…頂壁，８…係止突条，10…底壁，
14…係合突条，16…窓孔，17…帯状部，19…分離線，20…連結片，
21…折曲連結部位，23…切欠部，26…テーパ部，30…脚部，31…脚，
Ａ…通気孔，Ｂ…摘み，Ｃ…切取部，ａ…凹凸係合手段
【図１】
0004356827.tif 000002
【図２】
0004356827.tif 000003
【図３】
0004356827.tif 000004
【図４】
0004356827.tif 000005
【図５】
0004356827.tif 000006
【図６】
0004356827.tif 000007
【図７】
0004356827.tif 000008
【図８】
0004356827.tif 000009
【図９】
0004356827.tif 000010
【図１０】
0004356827.tif 000011
【図１１】
0004356827.tif 000012
【図１２】
0004356827.tif 000013
【図１３】
0004356827.tif 000014
【図１４】
0004356827.tif 000015
【図１５】
0004356827.tif 000016
【図１６】
0004356827.tif 000017
【図１７】
0004356827.tif 000018
【図１８】
0004356827.tif 000019
【図１９】
0004356827.tif 000020
【図２０】
0004356827.tif 000021
【図２１】
0004356827.tif 000022
【図２２】
0004356827.tif 000023
【図２３】
0004356827.tif 000024
【図２４】
0004356827.tif 000025